(57)【要約】  端末の動作モードは、バッテリ電力を潜在的に節約しながら端末にとって興味のあるサービスを端末が受信できるように動的に構成される。端末にとって興味のある第2のデータ・ネットワーク（例えば、ANSI-41ネットワーク）からのすべてのサービスが第1の無線ネットワークによって取得可能である場合には、端末は、第1のモード（例えば、ＨＲＰＤのみモード）で動作しそして第1のデータ・ネットワークからのページのために第1の無線ネットワーク（例えば、ＨＲＰＤネットワーク）だけをモニターする。端末にとって興味のある第2のデータ・ネットワークからの少なくとも１つのサービスが第1の無線ネットワークによって取得可能でない場合には、端末は、第2のモード（例えば、１Ｘ−ＨＲＰＤモード）で動作しそして第1及び第2のネットワークからのページのために第1の無線ネットワーク及び第2の無線ネットワーク（例えば、１Ｘネットワーク）をモニターする。端末は、第1又は第2のモードを動的に選択できる。
2010510759.tif 000002
【特許請求の範囲】
【請求項１】
端末にとって興味のある第2のデータ・ネットワークからのすべてのサービスが第1の無線ネットワークによって取得可能である場合には、第1のモードで動作し、そして、第1のデータ・ネットワークからのページのために第1の無線ネットワークだけをモニターするように、
そして、前記端末にとって興味のある前記データ・ネットワークからの少なくとも１つのサービスが前記第1の無線ネットワークによって取得可能でない場合には、第2のモードで動作し、そして、前記第1及び第2のデータ・ネットワークからのページのために前記第1の無線ネットワーク及び第2の無線ネットワークをそれぞれモニターするように、
構成されたプロセッサと、
前記プロセッサに結合されたメモリと、
を備える装置。
【請求項２】
前記プロセッサは、
前記端末によって受信される無線ネットワーク及びデータ・ネットワークの機能に基づいて、前記第1及び第2のモードを含む複数のモードのうちの１つを動的に選択する請求項１の装置。
【請求項３】
前記第1の無線ネットワークは、ハイ・レート・パケット・データ（ＨＲＰＤ）であり、そして、前記第2の無線ネットワークは、ＣＤＭＡ２０００ １Ｘネットワークである請求項１の装置。
【請求項４】
前記第1のデータ・ネットワークは、インターネット・プロトコル・マルチメデイア・サブシステム（ＩＭＳ）ネットワークであり、そして、前記第2のデータ・ネットワークは、ＡＮＳＩ−４１ネットワークである請求項１の装置。
【請求項５】
前記端末にとって興味のある前記第２のデータ・ネットワークからのすべてのサービスは、音声サービス及びショート・メッセージ・サービス（ＳＭＳ）のうちの少なくとも１つを含む請求項１の装置。
【請求項６】
前記端末にとって興味のある前記第2のデータ・ネットワークからのすべてのサービスは、音声サービスを含む、そして、そこにおいて、前記プロセッサは、
前記第1の無線ネットワーク上のボイス・オーバーＩＰ（ＶｏＩＰ）呼によって音声サービスを受信する、そして、
第2の無線上の回線交換呼によって音声サービスを受信する、請求項１の装置。
【請求項７】
前記プロセッサは、
前記第1のデータ・ネットワークからのサービスのために前記第1の無線ネットワークと通信する、そして、
前記第2のデータ・ネットワークからのサービスのために前記無線ネットワークと通信する、請求項１の装置。
【請求項８】
前記プロセッサは、
前記第1のモードで動作しているときには前記第1のデータ・ネットワークだけに対して登録する、そして、
前記第2のモードで動作しているときには前記第1及び第2のネットワークの両方に対して登録する、請求項１の装置。
【請求項９】
前記プロセッサは、
前記第1の無線ネットワークが、前記端末にとって興味のある前記第2のデータ・ネットワークからのすべてのサービスに対するサービスの品質（ＱｏＳ）を提供できるかどうかを決定する、
前記端末にとって興味のある前記第2のデータ・ネットワークからのすべてのサービスが、前記第1のデータ・ネットワークによってサポートされているかどうかを決定する、そして、
前記端末にとって興味のある前記第2のデータ・ネットワークからのすべてのサービスが前記第1のデータ・ネットワークによってサポートされおりかつ前記第1の無線ネットワークによってＱｏＳを与えられた場合には、前記第1のモードで動作する、請求項１の装置。
【請求項１０】
前記プロセッサは、
前記端末にとって興味のある前記第2のデータ・ネットワークからのすべてのサービスを得るために前記第1のデータ・ネットワークに対するサービス・ベース登録を行なう、請求項１の装置。
【請求項１１】
前記プロセッサは、
前記第1のモードで動作しているときには前記第2の無線ネットワークに対する測定を行なうために前記第1の無線ネットワークからチューン・アウエイする、そして、
前記測定を行なった後で、前記第1の無線ネットワークに戻る、請求項１の装置。
【請求項１２】
前記測定は、前記第2の無線ネットワークにおける基地局からのパイロットに対するものであり、そして、測位のために使用される、請求項１１の装置。
【請求項１３】
前記プロセッサは、
前記第1のデータ・ネットワークに対する登録を離れると前記第1のモードから前記第2のモードに移行する、そして、
利用可能な場合には前記第2のデータ・ネットワークに対する登録を行なう、請求項１の装置。
【請求項１４】
前記プロセッサは、
前記第1のデータ・ネットワークに対する登録を離れた後で、前記第2のデータ・ネットワークとの登録を行なう前に、所定の量の時間だけ待つ、請求項１３の装置。
【請求項１５】
前記プロセッサは、前記第1のモードで動作しているときに前記第1の無線ネットワークのカバレージの喪失を検知する、
カバレージの損失を検知すると、第3のモードに移行する、そして、
利用可能な場合には、前記第2のデータ・ネットワークに対する登録を行なう、請求項１の装置。
【請求項１６】
前記プロセッサは、
前記第3のモードで動作しているときには前記第2のデータ・ネットワークからのページのために前記第2の無線ネットワークだけをモニターする、請求項１５の装置。
【請求項１７】
前記プロセッサは、
前記第1の無線ネットワークによってサービスを受信できないことを前記第１のデータ・ネットワークに知らせるためのメッセージを送る、請求項１５の装置。
【請求項１８】
前記プロセッサは、
前記第1のモードで動作しているときに前記第1の無線ネットワークのカバレージ端を検知する、そして、
カバレージ端を検知したことに応答して前記第１のモードから前記第2のモードに移行する、請求項１の装置。
【請求項１９】
前記プロセッサは、
前記第2の無線ネットワークにおける隣接基地局のリストを前記第1の無線ネットワークにおける基地局から受信する、そして、
前記隣接基地局ノリストに基づいて前記第1の無線ネットワークのカバレージ端を検知する、請求項１８の装置。
【請求項２０】
前記プロセッサは、
前記第2の無線ネットワークにおける隣接基地局のリストの受信、前記第1の無線ネットワークのチャネル条件、又は両方に基づいて、前記第1の無線ネットワークのカバレージ端を検知する、請求項１８の装置。
【請求項２１】
前記プロセッサは、
前記第1の無線ネットワークに対する受信パイロット信号品質が第1の期間の第1の閾値より小さいかどうか、
前記第1の無線ネットワークに対する受信パイロット電力が第2の期間の第2の閾値より小さいかどうか、
前記第1の無線ネットワークに対する受信パイロット信号品質が第3の閾値より小さいかどうか、及び、
前記第1の無線ネットワークに対する受信パイロット電力が第4の閾値より小さいかどうかのうちの少なくとも１つに基づいて、前記第1の無線ネットワークのカバレージ端を検知する、請求項18の装置。
【請求項２２】
前記プロセッサは、
前記第１のモードから前記第2のモードへの移行に応答して前記第1の無線ネットワークから前記第2の無線ネットワークに呼を転送する、請求項１８の装置。
【請求項２３】
前記プロセッサは、
前記第2のモードで動作しているときに前記第1の無線ネットワークのカバレージを検知する、そして、
前記第1の無線ネットワークノカバレージを検知したことに応答して前記第2のモードから前記第1のモードに移行する、請求項１の装置。
【請求項２４】
前記プロセッサは、
前記第2の無線ネットワークにおける隣接基地局のリストを受信しないこと、前記第1の無線ネットワークのチャネル条件、又は両方に基づいて前記第1の無線ネットワークのカバレージを検知する、請求項２３の装置。
【請求項２５】
前記プロセッサは、
前記第1のモードで動作しているときに前記第2の無線ネットワーク上で発呼するための表示を受信する、
前記第2のモードに移行する、そして、
前記第2の無線ネットワーク上で前記呼を発呼する、請求項１の装置。
【請求項２６】
前記表示は、前記第1の無線ネットワーク上で前記呼を発呼できないことにより、前記呼は緊急呼であるか又は前記呼は測位用のロケーション・サービスに対するものである、請求項２５の装置。
【請求項２７】
前記プロセッサは、
呼の始めにおいて前記第1のモードで動作する、
前記呼の間に前記第1の無線ネットワークから前記第２の無線ネットワークへのハンドオフを行なう、そして、
前記呼の終わりに前記第2のモードで動作する、請求項１の装置。
【請求項２８】
端末にとって興味のあるＡＮＳＩ−４１ネットワークからのすべてのサービスがＨＲＰＤネットワークによって取得可能である場合には、第1のモードで動作し、そして、インターネット・プロトコル・マルチメデイア・サブシステム（ＩＭＳ）ネットワークからのページのためにハイ・レート・パケット・データ（ＨＲＰＤ）ネットワークだけをモニターするように、そして、
前記端末にとって興味のある前記ＡＮＳＩ−４１ネットワークからの少なくとも１つのサービスが取得可能でない場合には、第2のモードで動作し、そして、前記ＩＭＳ及びＡＮＳＩ−４１ネットワークからのページのために前記ＨＲＰＤネットワーク及びＣＤＭＡ２０００ 1Xネットワークをそれぞれモニターするように構成さえたプロセッサと、
前記プロセッサに結合されたメモリと、
を備える装置。
【請求項２９】
端末にとって興味のある第2のデータ・ネットワークからのすべてのサービスが第1の無線ネットワークによって取得可能である場合には、第1のモードで動作しかつ第1のデータ・ネットワークからのページのために第1の無線ネットワークだけをモニターすること、
前記端末にとって興味のある第2のデータ・ネットワークからの少なくとも１つのサービスが前記第1の無線ネットワークによって取得可能でない場合には、第2のモードで動作し、そして、前記第1及び第2のデータ・ネットワークからのページのために前記第1の無線ネットワーク及び第2の無線ネットワークをそれぞれモニターすること、
を備える方法。
【請求項３０】
前記端末によって受信される無線ネットワーク及びデータ・ネットワークの機能に基づいて、前記第1及び第2のモードを含む複数のモードのうちの１つを動的に選択することをさらに備える請求項２９の方法。
【請求項３１】
前記第1のモードで動作しているときに前記第1の無線ネットワークのカバレージの喪失を検知すること、
カバレージの喪失を検知して第3のモードに移行すること、
前記第2のデータ・ネットワークに対する登録を行なうこと、
及び、前記第3のモードで動作しているときに前記第2のデータ・ネットワークからのページのために前記第2の無線ネットワークだけをモニターすること、
をさらに備える請求項２９の方法。
【請求項３２】
端末にとって興味のある第2のデータ・ネットワークからのすべてのサービスが第1の無線ネットワークによって取得可能である場合には、第1のモードで動作しそして第1のデータ・ネットワークからのページのために第1の無線ネットワークだけをモニターするための手段と、
前記端末にとって興味のある前記第２のデータ・ネットワークからの少なくとも１つのサービスが前記第１の無線ネットワークによって取得可能でない場合には、第2のモードで動作しそして前記第1の無線ネットワーク及び第2の無線ネットワークをモニターするための手段と、
を備える装置。
【請求項３３】
前記端末によって受信される無線ネットワーク及びデータ・ネットワークの機能に基づいて、前記第1及び第2のモードを含む複数のモードのうちの１つを動的に選択するための手段をさらに備える請求項３２の装置。
【請求項３４】
端末にとって興味のある第2のデータ・ネットワークからのすべてのサービスが第1の無線ネットワークによって取得可能である場合には、第1のモードで動作し、そして、第1のデータ・ネットワークからのページのために第1の無線ネットワークだけをモニターするように、
そして、前記端末にとって興味のある前記データ・ネットワークからの少なくとも１つのサービスが前記第1の無線ネットワークによって取得可能でない場合には、第2のモードで動作し、そして、前記第1及び第2のデータ・ネットワークからのページのために前記第1の無線ネットワーク及び第2の無線ネットワークをそれぞれモニターするように、
構成されたプロセッサと、
前記プロセッサに結合されたメモリと、
を備える端末。
【請求項３５】
前記端末によって受信される無線ネットワーク及びデータ・ネットワークの機能に基づいて、前記第1及び第2のモードを含む複数のモードのうちの１つを動的に選択するための手段をさらに備える請求項３４の端末。
【請求項３６】
端末にとって興味のある第2のデータ・ネットワークからのすべてのサービスが第1の無線ネットワークによって取得可能である場合には、コンピュータを第1のモードで動作させ、そして、第1のデータ・ネットワークからのページのために第1の無線ネットワークだけをモニターするためのコードと、
前記端末にとって興味のある前記第2のデータ・ネットワークからの少なくとも１つのサービスが前記第1の無線ネットワークによって取得可能でない場合には、コンピュータを第2のモードで動作させ、そして、前記第1及びだい２のデータ・ネットワークからのページのために前記第１の無線ネットワーク及び第2の無線ネットワークをモニターするためのコードと、
を備えたコンピュータ読出し可能媒体を備えるコンピュータ・プログラム製品。
【請求項３７】
前記端末によって受信される無線ネットワーク及びデータ・ネットワークの機能に基づいて前記第1及び第2のモードを含む複数のモードのうちの１つをコンピュータに動的に選択させるためのコードをさらに備える請求項３６のコンピュータ・プログラム製品。
【発明の詳細な説明】
【技術分野】
【０００１】
本開示は、一般的には無線通信に関し、さらに詳細には無線端末を動作させるための技術に関する。
【背景技術】
【０００２】
無線通信ネットワークは、データ、ビデオ、ブロードキャスト、メッセージング（messaging）、等のような種々の通信サービスを提供するために広く展開される。これらのネットワークは、利用可能な無線資源の共有により複数のユーザのための通信をサポートすることができる多元接続無線ネットワークを含む。そのような無線ネットワークの例は、符号分割多元接続（ＣＤＭＡ）ネットワーク、時分割多元接続（ＴＤＭＡ）ネットワーク、周波数分割多元接続（ＦＤＭＡ）ネットワーク及び直交周波数分割多元接続（ＯＦＤＭＡ）ネットワークを含む。ＣＤＭＡネットワークは、ｃｄｍａ２０００、広帯域符号分割多元接続（Ｗ−ＣＤＭＡ）のような無線技術をインプリメント（implement）してもよく、ｃｄｍａ２０００は、ＩＳ−２０００、ＩＳ−９５及びＩＳ−８５６標準をカバーする。ＴＤＭＡネットワークは、移動体通信用グローバル・システム（ＧＳＭ）のような無線技術をインプリメントしてもよい。これらの種々の無線技術及び標準は技術的に知られている。
【０００３】
いくつかの無線ネットワークは、音声及びデータ・サービスをサポートすることができる。１つのそのような無線ネットワークは、ＩＳ−２０００及び／又はＩＳ−９５をインプリメントするＣＤＭＡ２０００ １Ｘネットワークである。ＣＤＭＡ２０００ １Ｘネットワークは、１Ｘネットワーク、ＣＤＭＡネットワークなどとも呼ばれる。音声及びデータ・サービスは、異なる特性及び要件を有する。例えば、音声サービスは通常、すべてのユーザのために共通のサービスのグレード（ＧｏＳ）を要求し、そして、比較的厳格な遅延要件を課する。対照的に、データ・サービスは、異なるユーザ及び可変遅れのための異なるＧｏＳを許容することができてもよい。音声及びデータ・サービスの両方をサポートするために、１Ｘネットワークは、最初に音声ユーザに無線資源を割り当てて、次に、より長い遅れを許容することができるデータ・ユーザに任意の残りの無線資源をも割り当ててもよい。
【０００４】
いくつかの無線ネットワークは、データ・サービスに対して最適化される。１つのそのような無線ネットワークは、ＩＳ−８５６をインプリメントする高レート・パケット・データ（ＨＲＰＤ）ネットワークである。ＨＲＰＤネットワークは、ＣＤＭＡ２０００ １ｘＥＶ−ＤＯネットワーク、１ｘＥＶ−ＤＯネットワーク、１ｘ−ＤＯネットワーク、ＨＤＲネットワーク、等とも呼ばれる。データ・セッションは通常、無音の長い期間及びトラヒックの散発的なバーストを有する。ＨＲＰＤネットワークは、任意の所定時点で１人のユーザに無線資源のほとんど又は全てを割り当て、それによって、サーブ（served）されているユーザに対するピーク・データ・レート（peak data rate）を大幅に増大させる。
【０００５】
サービス・プロバイダー／ネットワーク・オペレータは、それの加入者に対して増強されたサービスを提供するために複数の無線ネットワークを展開させてもよい。例えば、サービス・プロバイダーは、大きな地理的なエリアのための音声及びデータ・サービスをサポートするために１Ｘネットワークを展開させてもよく、また、データ使用が多いと予想されるエリアのためのデータ・サービスをサポートするためにＨＲＰＤネットワークを展開させてもよい。２つの無線ネットワークのカバレージ・エリアは通常オーバーラップする。任意の所定時点において、端末は、１Ｘネットワークだけの又はＨＲＰＤネットワークだけの、あるいは１ＸとＨＲＰＤの両方のネットワークの下にあってもよい。その端末は、それの位置及び他の要因に依存して異なるサービスを受け取ることができてもよい。
【発明の概要】
【０００６】
効率的なやり方で端末を動作させるための技術がここに記述される。１つの態様では、端末の動作モードは、バッテリ電力を潜在的に節約しながら、端末に興味のあるサービスを端末が受けることを可能にするように動的に構成される。端末は、１つ又は複数の無線ネットワークのカバレージ内にあってもよく、また、無線ネットワークに接続された１つ又は複数のデータ・ネットワークからサービスを受け取ることができてもよい。端末は、その端末にとって興味のあるサービス、利用可能な無線及びデータ・ネットワーク、その利用可能な無線及びデータ・ネットワークの機能、等に基づいて、複数の動作モードの中から１つの動作モードを選択してもよい。
【０００７】
１つのデザインでは、端末にとって興味のある第2のデータ・ネットワーク（例えば、ＩＭＳネットワーク）からのすべてのダービスが第1の無線ネットワークによって取得可能である場合には、端末は、第１のモード（例えば、ＨＲＰＤのみモード）で動作し、そして、第1のデータ・ネットワーク（例えば、ＡＮＳＩ−４１ネットワーク）からのページのために第1の無線ネットワーク（例えば、ＨＲＰＤネットワーク）だけをモニターする。第2のデータ・ネットワークからの少なくとも１つのサービスが第1の無線ネットワークによって取得可能でない場合には、端末は、第2のモード（例えば、１Ｘ−ＨＲＰＤモード）で動作し、そして、第1及び第2のデータ・ネットワークからのページのために第1の無線ネットワーク及び第2の無線ネットワーク（例えば、１Ｘネットワーク）をそれぞれモニターする。端末は、端末によって受けられる無線及びデータ・ネットワークの機能、端末にとって興味のあるサービス、興味のあるサービスの要件、及び／又は他の要因に基づいて、第1及び第2のモードを含む複数のモードのうちの１つを動的に選択してもよい。
【０００８】
本開示の種々の態様及び特徴は、下記にさらに詳細に記述される。
【図面の簡単な説明】
【０００９】
【図１】図１は、１Ｘネットワーク及びＨＲＰＤネットワークを示す。
【図２】図２は、１Ｘ及びＨＲＰＤネットワークをサポートするネットワーク・エンテイテイを示す。
【図３】図３は、端末に対する状態図を示す。
【図４】図４は、端末に対する他の状態図を示す。
【図５】図５は、マルチプル・モードを備えた端末を操作するためのプロセスを示す。
【図６】図６は、端末及び基地局のブロック図を示す。
【詳細な説明】
【００１０】
ここに記述される技術は、ＣＤＭＡ、ＴＤＭＡ、ＦＤＭＡ及びＯＦＤＭＡ無線ネットワーク、無線ローカル・エリア・ネットワーク（ＷＬＡＮｓ）のような種々の無線通信ネットワークに対して使用されてもよい。「ネットワーク」及び「システム」という用語はしばしば互換的に使用される。その技術は、ｃｄｍａ２０００、Ｗ−ＣＤＭＡ、ＧＳＭ、ＩＥＥＥ ８０２.１１などのような種々の無線技術に対して使用されてもよく、Ｗ−ＣＤＭＡ及びＧＳＭは、「第３世代パートナーシップ・プロジェクト」（３ＧＰＰ）という名称の組織からの文書に記述されている。ｃｄｍａ２０００は、「第３世代パートナーシップ・プロジェクト２」（３ＧＰＰ２）という名称の組織からの文書に記述されている。３ＧＰＰ及び３ＧＰＰ２文書は一般に入手可能である。明瞭のために、これら技術は、１Ｘ及びＨＲＰＤのネットワークを含む３ＧＰＰ２ベースのネットワークについて下記に記述される。
【００１１】
図１は、１Ｘネットワーク１１０及びＨＲＰＤネットワーク１２０を備えた配備を示す。１Ｘネットワークは、これらの基地局のカバレージ内に位置した端末１３０に対する無線通信をサポートする基地局１１２を含む。同様に、ＨＲＰＤネットワークは、これらの基地局のカバレージ内に位置した端末１３０に対する無線通信をサポートする基地局１２２を含む。基地局１１２及び１２２は、異なるサイトに位置してもよく、あるいは同じサイトに一緒に位置してもよい。一般に、基地局（１Ｘ用語）は、端末と通信する固定局であり、また、アクセス・ポイント（ＨＲＰＤ用語）、ノードＢ（３ＧＰＰ用語）、基地トランシーバ局（ＢＴＳ）などと呼ばれてもよい。
【００１２】
端末は、固定でも移動でもよく、また、移動局（１Ｘ用語）、アクセス端末（ＨＲＰＤ用語）、ユーザ設備（３ＧＰＰ用語）、加入者ユニット、局などと呼ばれてもよい。端末は、携帯電話、携帯情報端末（ＰＤＡ）、ワイヤレス通信デバイス、無線モデム、ラップトップ・コンピュータなどであってもよい。下記の説明では、用語「基地局」は、固定局に対して一般的に使用され、また、用語「端末」は、固定局と通信する無線デバイスに対して使用される。
【００１３】
端末は、任意の所定時点において、順方向リンク及び／又は逆方向リンク上で１つの又は複数の基地局と通信してもよい。順方向リンク（又はダウンリンク）は、基地局から端末への通信リンクを指し、そして、逆方向リンク（又はアップリンク）は、端末から基地局への通信リンクを指す。図１において、両端に矢印を有する実線は、端末と基地局の間の通信を示す。一端に矢印を有する破線は、基地局からのパイロット及び／又はシグナリング（signaling）（例えば、ページ（pages））の端末による受信を示す。
【００１４】
図２は、１Ｘ及びＨＲＰＤネットワークをサポートする種々のネットワーク・エンテイテイの図を示す。１Ｘでは、基地局コントローラ（ＢＳＣ）１１４は、基地局１１２に連結して、これらの基地局に対して調整と制御を提供する。ＢＳＣ１１４は、端末に対するトラヒック・チャネルの割り当ての処理、端末のハンドオフの制御、等をしてもよい。移動交換局（ＭＳＣ）１５０は、ＢＳＣ  １１４に連結して、端末に対して回路交換（ＣＳ）通信をサポートする。ＭＳＣ１５０は、回路交換された呼に対してルーティングを提供し、そして、ＭＳＣによってサーブされるエリア内に位置する端末のための移動度管理を行なってもよい。ＭＳＣ１５０は、音声、ショート・メッセージ・サービス（ＳＭＳ）、位置サービス（ＬＣＳ）、等のような種々のサービスを提供しうるＡＮＳＩ−４１ネットワーク１６０に結合する。ＡＮＳＩ−４１は３ＧＰＰ２ベースの無線ネットワークに使用されるモバイル・ネットワーク・プロトコルである。ＡＮＳＩ−４１ネットワーク１６０は、従来の電話にサーブする公衆交換電話網（ＰＳＴＮ）のような他のネットワークに結合してもよい。ＡＮＳＩ−４１は、米国規格協会（ＡＮＳＩ）から一般に入手可能な「セルラー無線通信システム間操作」（"Cellular Radiotelecommunications Intersystem Operations"）というタイトルの１セットの文書ＡＮＳＩ−４１．１〜ＡＮＳＩ−４１．６に記載されている。
【００１５】
ＨＲＰＤでは、ＢＳＣ／パケット制御機能（ＰＣＦ）１２４は、基地局１２２に結合し、そして、及びこれらの基地局とパケット・データ・サービング・ノード（ＰＤＳＮ）１５２の間のパケット・データの交換を制御する。ＰＤＳＮ１５２は、端末のためのパケット交換通信をサポートする。ＰＤＳＮ１５２は、端末のためのＰＰＰ（ポイントツーポイントプロトコル）セッションの設立、維持及び終了の処理、動的なインターネットプロトコル（ＩＰ）アドレスの端末への割当て、等を行なってもよい。ＰＤＳＮ１５２は、音声、パケット・データ、ＳＭＳ、等のような種々のサービスを提供してもよいＩＰマルチメディア・サブシステム（ＩＭＳ）ネットワーク１６２に連結する。ＩＭＳネットワーク１６２は、インターネットのような他の公の及び／又はプライベートのネットワークをに結合してもよい。
【００１６】
１Ｘ及びＨＲＰＤネットワークは、空中通信をサポートし、そして、無線ネットワーク（ＲＮｓ）、無線アクセス・ネットワーク（ＲＡＮｓ）、アクセス・ネットワーク、等と呼ばれてもよい。ＡＮＳＩ及びＩＭＳネットワーク−４１は異、なる通信サービスをサポートし、そして、データ・ネットワーク、コア・ネットワーク、等と呼ばれてもよい。ＡＮＳＩ−４１ネットワークは、回線交換データネットワークであるが、ＩＭＳネットワークは、パケット交換データ・ネットワークである。ページング・ノード１７０は、ＡＮＳＩ及びＩＭＳネットワーク−４１に結合し、そして、これらのデータ・ネットワークに対するページングをサポートする。ページング・ノード１７０は、ＡＮＳＩ−４１及び／又はＩＭＳネットワークに登録された端末に対するページを受け取ってもよい。ページイング・ノード１７０は、ＡＮＳＩ−４１ネットワークに登録された端末に対するページをＭＳＣ１５０に送り（routes）、そして、ＩＭＳネットワークに登録された端末に対するページを、これらの端末に送信するために、ＰＤＳＮ１５２に送る（routes）。
【００１７】
端末は、１Ｘネットワーク及び／又はＨＲＰＤネットワークと通信することができてもよい。その機能によって、端末は、通常、下記のうちの１つであってもよい特定のオペレーティング・モードで構成される。
【００１８】
・  １Ｘのみモード  −  １Ｘネットワークのみをモニターする、
・  ＨＲＰＤのみモード  −  ＨＲＰＤネットワークのみをモニターする、
・  １Ｘ＋ＨＲＰＤモード  −  １Ｘ及びＨＲＰＤネットワークの両方をモニターする。
【００１９】
１Ｘ＋ＨＲＰＤモードは、（ａ）端末が１Ｘ及びＨＲＰＤネットワーク（例えば、２つの受信機を使用して）を同時に受け取る同時のモード、及び（ｂ）時分割多重（ＴＤＭ）やり方で（例えば、１つの受信機を使用して）端末が１Ｘ及びＨＲＰＤのネットワークを受け取る多重モードを含んでもよい。端末は、（ａ）それが１Ｘネットワークだけと通信できる場合には１Ｘのみモード、（ｂ）それがＨＲＰＤネットワークだけと通信できる場合にはＨＲＰＤのみモード、又は（ｃ）それが１Ｘ及びＨＲＰＤネットワークの両方と通信できる場合には１Ｘ＋ＨＲＰＤモードで構成されてもよい。端末のためのモード構成は、通常は静的であり、また、端末は構成されたモードに従って動作する。例えば、端末が１Ｘ＋ＨＲＰＤモードで構成されていれば、端末は、これらの無線ネットワークが利用可能な場合には、１Ｘ及びＨＲＰＤネットワークの両方をモニターする。端末は、両方の無線ネットワークをモニターするために、より多くの電力を消費してもよい。
【００２０】
１つの態様では、端末の動作モードは、潜在的にバッテリ電力を節約しながら、端末にとって興味のあるサービスを端末が受けることを可能にするようにダイナミックに構成される。１Ｘ及びＡＮＳＩ−４１ネットワークは、１Ｘサービスと呼ばれるあるサービスをサポートしてもよい。ＨＲＰＤ及びＩＭＳネットワークは、ＩＭＳサービスと呼ばれるあるサービスをサポートしてもよい。端末は、あるサービスに興味をもってもよく、又は、あるサービスを受け取ることができてもよい。一般に、興味のある各サービスは、１Ｘネットワークだけ、ＨＲＰＤネットワークだけ、あるいは１Ｘか又はＨＲＰＤネットワークのいずれかによって得られてもよい。端末は、端末にとって興味のあるサービス、利用可能な無線及びデータ・ネットワーク、利用可能な無線及びデータ・ネットワークの機能、等に基づいて、適当な動作モードを選択してもよい。
【００２１】
いくつかのサービスは、１Ｘネットワークだけによって利用可能であってもよい。これらのサービスは、位置ベース・サービス、位置情報を利用する救急サービス、等を含んでもよい。他のサービスは、１Ｘ又はＨＲＰＤネットワークのいずれかによって得られてもよい。（ａ）ＨＲＰＤネットワークがサービスに必要なサービスの質（ＱｏＳ）を提供できる場合、（ｂ）ＩＭＳネットワークがそのサービスを提供する場合、及び、（ｃ）端末が適切なサブスクリプション（subscription）を有する場合には、端末は、ＨＲＰＤ及びＩＭＳのネットワークによって１Ｘサービスを受け取ることができてもよい。例えば、ＨＲＰＤネットワークが音声に必要なＱｏＳを提供することができる場合には、音声サービスは、１Ｘネットワーク上の回路交換された呼又はＨＲＰＤネットワーク上のボイス・オーバーＩＰ（ＶｏＩＰ）呼のいずれかで得られてもよい。
【００２２】
ＨＲＰＤリビジョンＡ（Ｒｅｖ Ａ）は、ＱｏＳをサポートするが、ＨＲＰＤリビジョン０（Ｒｅｖ ０）は、ＱｏＳをサポートしない。従って、ＨＲＰＤリビジョンＡネットワークは、音声のようなＱｏＳ要件を備えたサービスをサポートするが、ＨＲＰＤ Ｒｅｖ ０ネットワークは、ベスト・エフォート（best effort）を備えたサービスをサポートする。次の説明の多くでは、ＨＲＰＤＲｅｖ ０ネットワークは、端末に興味のあるすべての１ＸサービスをサポートすることができないＨＲＰＤ Ｒｅｖ Ａネットワークと見なされてもよい。
【００２３】
端末は、ＡＮＳＩ−４１ネットワークに登録してもよく、また、端末が１Ｘネットワーク内のどの基地局とも積極的に通信していない場合には、アイドル状態で動作してもよい。アイドル状態では、端末は、通常、端末に適用可能なメッセージ用の１Ｘネットワークからのページング・チャネルをモニターする。そのようなメッセージは、システム情報及び／又は端末に対する他の情報を搬送する入来呼及びオーバヘッド・メッセージの存在に対して端末に警報するページ・メッセージを含んでいてもよい。「ページ・メッセージ」及び「ページ」という用語は、互換的に使用されることが多い。代替的に又は追加的に、端末は、ＩＭＳネットワークに登録してもよい。アイドル状態では、端末は、通常、端末に送られるページのためにＨＲＰＤネットワークからの制御チャネルをモニターする。ページは、通常、データ・メットワークで起こされ、適切な無線ネットワークに送られ、そして、無線で端末に送られる。
【００２４】
図３は、端末のための状態図３００のデザインを示す。用語「動作モード」、「モード」及び「状態」は、端末に対する特定の動作態様を示すために互換的に使用されてもよい。端末は、例えば、パワー・アップで、あるいはカバレージの喪失により、システム選択状態でスタートする。端末は、無線ネットワークを探索し、そして、それの好ましいローミング・リスト（ＰＲＬ）に基づいて、１Ｘ及び／又はＨＲＰＤネットワークを取得してもよい。端末がＨＲＰＤネットワークを取得すると、端末は、ＨＲＰＤネットワークが端末に興味のある１Ｘサービスをすべてサポートするかどうかを決定する。この決定は、セッション交渉を行なうことにより、あるいは、セッション設定プロトコル（ＳＩＰ）登録、通知及び／又は他のメカニズムを使用することにより行なわれてもよい。ＳＩＰは、ＩＰに基づいてインタラクティブ・ユーザ・セッションを開始し、修正し、そして終了するためのシグナリング・プロトコルである。端末は、サービスベースの登録を行ない、端末に興味がありかつ端末によって受け取られた無線ネットワークによりサポートされる特定のサービスを識別してもよい。従って、ＨＲＰＤネットワークが、興味のある１Ｘサービスをすべてサポートすることができる場合には、端末は、ＨＲＰＤネットワークによってこれらの１Ｘサービスを得るために、ＩＭＳネットワーク（あるいはＩＭＳ登録）に対する登録を行なってもよい。ＩＭＳ登録は、ＳＩＰ又は他のある適切なプロトコルによってであってもよい。端末は、それがＩＭＳネットワークに対して成功裡に登録し、そして、ＨＲＰＤネットワークによって興味のある１Ｘサービスをすべて受け取ることができる場合には、ＨＴＰＤのみモード３２０に移行する。端末は、それがＩＭＳネットワークに対して登録するが、ＩＭＳネットワークで興味のある１Ｘサービスをすべて受け取ることができない及び／又はＡＮＳＩ−４１ネットワークに対して登録する場合には、１Ｘ−ＨＲＰＤモード３３０に移行する。
【００２５】
ＨＲＰＤのみのモード３２０では、端末は、ページに対してＨＲＰＤネットワークだけをモニターし、そして、恐らく緊急通話を除いて、ＨＲＰＤ及びＩＭＳネットワークによってサービスをすべて受け取る。端末は、ＨＲＰＤのみのモード３２０にある場合には、１Ｘネットワークをモニターしない。端末がＨＲＰＤカバレージ又は興味のある１Ｘサービスに対するＩＭＳ登録を解く（looses）と、あるいは、端末が境界条件を検知すると、端末は１Ｘ−ＨＲＰＤモードに移行する。境界条件は、端末がＨＲＰＤカバレージの縁部の近くにいることを示し、そして、下記のように決定されてもよい。
【００２６】
１Ｘ−ＨＲＰＤモード３３０では、端末は、ページのために端末モニター１Ｘ及び／又はＨＲＰＤネットワークをモニターする。１Ｘネットワークだけが利用可能である場合には、端末は、ページのために１Ｘネットワークからのページング・チャネルをモニターし、そして、ＨＲＰＤネットワークからの制御チャネルを探索してもよい。１Ｘ及びＨＲＰＤネットワークの両方が利用可能である場合には、興味のある１ＸサービスがＩＭＳネットワークによって入手可能でなければ、端末は、両方の無線ネットワークからのページング・チャネルをモニターしてもよい。ＨＲＰＤネットワークが利用可能でない場合には、あるいは、興味のある１ＸサービスがＩＭＳネットワークによって利用可能でない場合には、端末は、１Ｘ−ＨＲＰＤモード３３０に残る。
【００２７】
端末は、ＨＲＰＤ Ｒｅｖ Aカバレージから（ａ）ＨＲＰＤ Rev ０及び１Xカバレージ又は（ｂ）１Xカバレージまで移行してもよい。端末がHRPDのみモードにおいてHRPD Rev Aネットワークだけをモニターする場合には、端末は、それが新しい無線ネットワークを取得できる前に、HRPD Rev ０を喪失してもよい。この期間の間には、端末は、任意の無線ネットワークからページを受け取ることはできないだろう。
【００２８】
１つの態様では、HRPD Rev Aネットワークのカバレージ端の近傍にあるＨＲＰＤRev Aネットワークにおける基地局は、１X隣接リストを含むオーバーヘッド・メッセージ（例えば、セクタ・パラメータ・メッセージ）を送信する。ＨＲＰD Rev Ａネットワークにおける所定の基地局のための１Ｘ隣接リストは、１Ｘネットワークにおける近隣基地局を含んでいてもよい。１Ｘ隣接リストの受信は、端末がＨＲＰＤ Rev Ａカバレージ端に近いことを示してもよい。端末は、１Ｘ及びＨＲＰＤネットワークの両方のモニターを開始するため、及び、１Ｘ登録、１ＸサービスのＩＭＳ登録抹消（de-registration）、等を行なうために、この情報を使用してもよい。これは、ＨＲＰＤ Rev Ａ及び１Ｘネットワークからの端末のシームレス・ページングを許容してもよい。
【００２９】
図４は、端末のための状態図４００のデザインを示す。端末は、例えば、パワー・アップで、あるいはカバレージの喪失により、システム選択状態４１０においてスタートする。端末は、無線ネットワークを探索し、１Ｘ及び／又はＨＲＰＤネットワークを取得し、そして、システム選択を行なう。端末は、それがHRPDネットワークを取得しかつ興味のあるすべての１ＸサービスについてIMSネットワークに対して首尾よく登録すると、HRPDのみモード４２０に移行する。端末は、それが１X及びHRPDネットワークの両方を取得するが、興味のあるすべての１XサービスがHRPDネットワークによって利用可能でない場合には、１X-HRPDモード４３０に移行する。端末は、それが１Ｘネットワークを取得する場合には、１Ｘのみのモード４４０へ移行する。
【００３０】
ＨＲＰＤのみモード４２０では、端末は、ページに対してＨＲＰＤネットワークだけをモニターし、１Ｘネットワークはモニターしない。端末がＨＲＰＤネットワーク内の基地局から１Ｘ隣接リストを得る場合、及び、ある境界条件が満たされる場合には、端末は、ＨＲＰＤをモニターしかつ１Ｘ状を測定する状態４５０に移行する。端末は、それがＨＲＰＤネットワークのカバレージを離れる（looses）と、システム選択状態４１０へ移行する。
【００３１】
状態４５０では、端末は、ＨＲＰＤネットワークをモニターし続け、そしてまた、１Ｘネットワークにおける隣接基地局のためにパイロット測定を行なう。端末は、１Ｘ及びＨＲＰＤネットワークに対するチャネル条件が満たされると、ＨＲＰＤをモニターしかつ１Xに登録する状態４６０に移行する。
【００３２】
状態４６０では、端末は、ＡＮＳＩ−４１ネットワークに対する登録、あるいは１Ｘ登録を行なう。成功した１Ｘ登録の後、ＩＭＳネットワークは、１Ｘネットワークによって１Ｘサービスのうちのいくつかあるいはすべてを配信（deliver）してもよい。この状態にいる間、端末は、ＩＭＳネットワークから利用可能な１Ｘサービスを追跡してもよい。端末は、１Ｘ登録が成功し、かつ、ＨＲＰＤカバレージが利用不可能になると、１Ｘのみモード４４０へと移行する。１Ｘ登録が成功し、ＨＲＰＤネットワークが利用可能であるが、興味のあるすべての１XサービスがHRPDネットワークによって利用可能ではない場合には、端末は、１X-HRPDモード４３０に移行する。
【００３３】
１Ｘ−ＨＲＰＤモード４３０では、端末は、ページのために１Ｘ及びＨＲＰＤネットワークの両方をモニターする。端末は、それがＨＲＰＤカバレージを離れると、１Ｘのみモード４４０へと移行する。端末は、それが１Ｘ及びＨＲＰＤカバレージの両方を離れると、システム選択状態４１０へと移行する。端末は、それがHRPDを再取得しかつ１Ｘ及びＨＲＰＤネットワークに対するチャネル条件が満たされると、IMS登録状態４７０へと移行する。
【００３４】
１Ｘのみモード４４０では、端末は、ページのために１Xネットワークを周期的にモニターしそしてHRPDネットワークを周期的に検索する。端末は、それがHRPDネットワークを再取得しかつ１X及びHRPDネットワークに対するチャネル条件が満たされると、ＩＭＳ登録状態４７０へ移行する。端末は、それが１Ｘカバレージを離れると、システム選択状態４１０へ移行する。
【００３５】
状態４７０では、端末は、興味のあるすべての１ＸサービスのためにＩＭＳネットワークに対する登録を行なう。端末は、ＩＭＳ登録が興味のあるすべての１Xサービスに対して成功であれば、HRPDのみモードへ移行する。端末は、それが興味のある任意の１Xサービスに対してＩＭＳネットワークに登録できない場合には、Ｘ−ＨＲＰＤモード４３０へ移行する。
【００３６】
図３及び４は、端末に対する２つの例示の状態図を示す。それよりも少ない、それより多い又は異なる状態及びモードを有する他の状態図が使用されてもよい。
【００３７】
一般に、端末は、それがＨＲＰＤ及びＩＭＳのネットワークによって興味のあるすべての１Ｘサービスを受け取ることができる場合には、ＨＲＰＤネットワークだけをモニターしてもよい。端末は、それがＨＲＰＤ及びＩＭＳのネットワークによって興味のあるすべての１Ｘサービスを受けることができない場合には、１Ｘ及びＨＲＰＤネットワークの両方をモニターしてもよい。端末は、各興味のあるサービスを得る適切な無線ネットワークを選択するためにＩＭＳネットワークに対するサービス・ベース登録の状態及びHRPDネットワークの機能を使用してもよい。ＨＲＰＤ機能は、サービスの所望のＱｏＳを提供する機能によって定量化されてもよい。例えば、ＳＭＳは、ＱｏＳを要求しなくてもよく、ベスト・エフォート・フローでサポートされてもよい。音声サービス、通常、あるＱｏＳを要求し、リアルタイム・トランスポート・プロトコル（RTP）フローに対するプロファイルID ０ｘ１００又はSIPフローに対するプロファイルID ０ｘ５００でサポートされてもよい。これらのＰｒｏｆｉｌｅＩＤｓは、ＨＲＰＤ標準文書において指定される。端末は、セッション構成を行ない、そして、HRPDネットワークを取得すると、RTP及びＳＩＰフローのためのＱｏＳパラメータを構成してもよい。端末は、構成されたＱｏＳパラメータに従ってＲＴＰ及びＳＩＰフローに対してＨＲＰＤとその後に通信してもよい。
【００３８】
端末は、種々の基準に基づいて、モード／状態間で移行してもよい。端末はまた、一時的にモード／状態から離れて、作用（action）を行ない、そしてモード／状態に戻ってもよい。表１は、図３の状態図３００に対するいくつかの動作シナリオを一覧表にしている。表１では、「Ｓ」はシステム選択状態３１０を表示しており、「Ｈ」はＨＲＰＤのみのモード３２０を表示しており、「Ｂ」は１Ｘ−ＨＲＰＤモード３３０を表示しており、そして「→」は１つのモード他のモードへの移行を表示している。
【００３９】
表１におけるシナリオは、下記にさらに詳細に記述される。
【表１】
2010510759.tif 000003
【００４０】
シナリオ１では、端末がパワー・アップされ、そして、ＨＲＰＤのみモード又は１Ｘ−ＨＲＰＤモードで動作すべきかどうかを決定する。.端末は、所定のルールに基づいてシステム選択を行なってもよい。ＨＲＰＤネットワークが取得される場合には、端末は、ＨＲＰＤネットワークが端末のＱｏＳプロフィールをサポートするかどうかを決定し、そして、その場合には、興味のある１ＸサービスのＱｏＳパラメータを構成するセッション交渉／構成を行なってもよい。ＱｏＳ構成が成功の場合には、端末は、興味のある１ＸサービスのためにＩＭＳネットワークに対する登録を行なってもよい。ＩＭＳネットワークが興味のある１Ｘサービスをサポートし、そして、ＩＭＳ登録が成功である場合には、端末は、ＨＲＰＤのみのモードで作動してもよい。端末は、それがＨＲＰＤのみのモードで作動する場合にＡＮＳＩ−４１ネットワークに対して登録される場合には、１Ｘパワー・ダウン登録を行なってもよい。
【００４１】
（ａ）ＨＲＰＤネットワークが得られない場合、（ｂ）HRPD Rev Aネットワークが得られるが興味のあるすべての１Ｘサービスをサポートしない場合、又は（ｃ）HRPD Rev Aネットワークが得られる場合には、端末は、１Ｘ−ＨＲＰＤモードで動作してもよい。ケース（ａ）では、端末は、ＨＲＰＤネットワークを周期的に検索してもよい。ケース（ｂ）では、少なくとも１つの興味のあるサービスがＨＲＰＤとＩＭＳのネットワークによって得ることができる場合には、端末は、ＩＭＳ登録を行なってもよい。ケース（ｂ）及び（ｃ）では、ＨＲＰＤネットワークに対するＩＭＳ機能及びモバイル・ターミネイテッド・サービス要求（mobile-terminated service requirement）がない場合には、端末は、延長されたスリープ・モードで動作してもよい。３つのケースすべてに対して、端末は、それがＡＮＳＩ−４１ネットワークに対して既に登録されていなければ、１Ｘパワー・アップ登録を行なってもよく、そして、１Ｘ及びＨＲＰＤネットワークの両方をモニターしてもよい。
【００４２】
一般に、端末は、ＩＭＳ及び／又はＡＮＳＩ−４１ネットワークに対して登録されてもよい。興味のある少なくとも１つの１ＸサービスがＨＲＰＤ及びＩＭＳのネットワークによって利用可能でなく、そして、少なくとも１つのＩＭＳサービスがＨＲＰＤ及びＩＭＳのネットワークによって得られてもよい場合には、端末は、ＩＭＳ及びＡＮＳＩ−４１ネットワークの両方に登録されてもよい。
【００４３】
シナリオ２では、端末は、ＨＲＰＤのみのモードであり、そして、測位のために１Ｘパイロット・フェーズ測定を行なうように命じられる。これらの測定は、ＧＰＳ及びパイロット測定の両方で位置推定が引き出せるためには不十分な数のＧＰＳ衛星が利用可能である場合には、ＧＰＳ測定を増加させるために、アドバンスト・フォワード・リンク・トリラテレーション（Advance Forward Link Trilateration）(AFLT)又は他の測位方法を用いて端末のための位置推定を引き出すためにＧＰＳ衛星の探索を行なうために使用されてもよい。端末は、ＨＲＰＤネットワークに対していかなる係属中のハイ・プライオリテイ・トラヒック（High Priority Traffic）（ＨＰＴ）又はアイドル動作（idle operation）を影響させることなしに、１Ｘ−ＨＲＰＤモードに移行してもよい。端末は、１Ｘネットワークの基地局に対して１Ｘパイロット・フェーズ測定（1X pilot phase measurements）を行なってもよいが、１Ｘネットワークに対するアクセス試み、登録、及びページ・レスポンス（page response）を回避してもよい。複数の受信機が利用可能である場合には、端末は、１つの受信機をＨＲＰＤネットワークに合わせ（tune）、そして、１Ｘ測定を行なうために他の１つの受信機を使用してもよい。端末は、１Ｘ測定を終えた後に、ＨＲＰＤのみモードに戻る。
【００４４】
シナリオ３では、端末は、ＨＲＰＤのみモードであり、ＩＭＳ登録（例えば、ＶｏＩＰのための）を離れる。端末は、１Ｘ−ＨＲＰＤモードに移行し、そして、１Ｘパワー・アップ登録を行なってもよい。端末は、１Ｘパワーアップ登録を行なう前に、ＩＭＳ回復手順の完了、ＨＲＰＤ接続の終了、等を許容するために、ＩＭＳ登録の喪失から所定量の時間だけ待ってもよい。端末は、その後、１Ｘ及びＨＲＰＤネットワークの両方をモニターしてもよいが、ＡＮＳＩ−４１ネットワークだけに登録されてもよい。
【００４５】
シナリオ４では、端末は、ＨＲＰＤのみモードであり、HRPD Rev Aカバレージから出て、HRPD Rev 0カバレージに入ってもよい。ＨＲＰＤネットワークは、端末がHRPD Rev 0カバレージに入るのを検知した後で、Rev AからRev 0への端末のアクテイブ・パーソナリテイ（active personality）の変更を開始してもよい。HRPD Rev 0へのパーソナリテイ変更を検知すると、端末は、１Ｘ−ＨＲＰＤモードに移行し、そして、もし利用可能であればＡＮＳＩ−４１ネットワークに対して１Ｘパワー・アップ登録を行なってもよい。その後、端末は、ＩＭＳネットワークからの１Ｘサービスの登録抹消（de-registration）を行なってもよい。
【００４６】
シナリオ５では、端末は、ＨＲＰＤのみモードであり、ＨＲＰＤカバレージを解き、そして、１Ｘネットワークを得る。端末は、１Ｘ−ＨＲＰＤモードに移行し、そして、ＡＮＳＩ−４１ネットワークに対して１Ｘパワー・アップ登録を行なってもよい。成功した１Ｘパワー・アップ登録の後、端末は、それがＨＲＰＤネットワークによってどんなサービスも受けることができないことをＩＭＳネットワークに通知するＳＭＳメッセージを送ってもよい。このＳＭＳメッセージを受け取ると、ＩＭＳネットワークは、（ａ）端末に対するＩＭＳ登録抹消を行なう又は（ｂ）音声及びＳＭＳメッセージをＡＮＳＩ−４１ネットワークに送るが端末をＩＭＳネットワークに登録された状態に保持してもよい。端末は、ＩＭＳネットワークによるＳＭＳメッセージの既知の解釈に基づいて、それのＩＭＳ登録ステータスを更新してもよい。端末は、その後、ページのために１Ｘネットワークをモニターしてもよく、そして、ＨＲＰＤネットワークを周期的に探索してもよい。端末は、１Ｘネットワークによってサービス（例えば、音声、ＳＭＳなど）を受けてもよい。
【００４７】
シナリオ６では、端末は、ＨＲＰＤのみモードであり、ＨＲＰＤカバレージの縁部に移動する。端末は、ＨＲＰＤネットワーク内の基地局から受信された１Ｘ隣接リスト、弱いＨＲＰＤパイロット測定、強いＨＲＰＤパイロット測定、等に基づいて、ＨＲＰＤカバレージ端にあることを決定してもよい。端末は、１Ｘ−ＨＲＰＤモードに移行し、ＡＮＳＩ−４１ネットワークに対して１Ｘパワー・アップ登録を行ない、１ＸサービスをＡＮＳＩ−４１ネットワークに移動させるためにＩＭＳネットワークに対して登録抹消を行なってもよい。これは、端末のためのページ受信の信頼性を改善することができる。
【００４８】
端末によってなされたパイロット測定は、受信信号品質、受信電力、等のためであってもよい。受信信号品質は、チップ当たりエネルギ対受信電力比（Ec／Io）又はある他のパラメータによって定量化されてもよく、そして、デシベル（dB）の単位で与えられてもよい。受信電力は、ｄＢｍの単位で与えられてもよい。端末は、パイロット測定の品質を改善し、かつ誤りトリガーを回避するために、パイロット測定をフィルタ（filter）してもよい。そのフィルタリングは、有限インパルス応答（ＦＩＲ）フィルタ、無限インパルス応答（ＩＩＲ）フィルタ、又はある他のタイプのフィルタに基づいてもよい。フィルタは、良好な性能を提供するために選択される固定の応答を有してもよい。フィルタはまた、測定タイプ（例えば、パイロットEc／Io、受信電力、等）、無線ネットワーク・タイプ（例えば、１Ｘ又はＨＲＰＤ）、動作シナリオ、等に基づいて選択されうる構成可能な応答を有してもよい。
【００４９】
１つの設計では、下記のうちのいずれかの１つが生ずる場合には、端末は、ＨＲＰＤカバレージ端を検知する：
・  ＨＲＰＤパイロットＥｃ／Ioは、Ｔ１秒のＥ１閾値より小さい、
・  ＨＲＰＤ受信パイロット・パワーは、Ｔ１秒のＰ１閾値より小さい、
・  ＨＲＰＤパイロットＥｃ／Ioは、Ｅ２閾値より小さい、あるいは、
・  ＨＲＰＤ受信パイロット・パワーは、Ｐ２パワー閾値より小さい。
【００５０】
上記の基準のうちのどれかが生じる場合に、ＨＲＰＤネットワークのための境界条件が満たされうる。端末によって受けられた最強のＨＲＰＤパイロット、サービング（serving）ＨＲＰＤ基地局のパイロット、及び／又はある他のパイロットは、ＨＲＰＤカバレージ端を検知するために使用されてもよい。閾値及びＴ１タイマーは、所望の性能を提供することができる任意適切な値であってもよい。閾値及び／又はタイマーはまた、端末がアイドルであるか又は係属中の呼（pending call）を有するかどうかに応じて異なってもよい。閾値及び／又はタイマーはまた、動作モード間のトグリング（toggling）を回避するためにヒステリシスを提供するように選択されてもよい。
【００５１】
端末は、ＨＲＰＤハバレージ縁部によりＨＲＰＤのみモードから１Ｘ−ＨＲＰＤモードに移行する場合には、アイドル状態にあってもよい。端末は、移行時にページを見逃す可能性を減少させる態様で、登録及び登録抹消を行なってもよい。
【００５２】
端末は、それがＨＲＰＤカバレージ端に移動する場合、非ＨＰＴ接続状態（non-HPT connected state）（例えば、パケット・データ呼）の係属中の呼を有してもよい。端末は、係属中の呼の連続性を維持する態様で、１Ｘ−ＨＲＰＤモードに移行してもよい。端末は、１Ｘ−ＨＲＰＤモードへの移行で同時のＨＲＰＤから１Ｘへのパケット・データ・ハンド・ダウンを行なってもよい。ＨＲＰＤ及び１Ｘネットワークは、ハンド・ダウンを実施するためにシグナリングを交換してもよい。端末は、ハンド・ダウンに関係するシグナリングのために１Ｘネットワークをモニターしてもよい。端末は、ＨＲＰＤ接続が閉じられるまで、１Ｘパワー・アップ登録を遅らせてもよい。
【００５３】
シナリオ７では、端末は、１Ｘ−ＨＲＰＤモードであり、良好なＨＲＰＤカガレージ内に移動する。端末は、ＨＲＰＤ基地局からの１Ｘ隣接リスト、強いＨＲＰＤパイロット測定、等の非受信に基づいて、それが良好なカバレージ内にあることを決定してもよい。端末は、HRPD Rev Aネットワークを取得していても又はHRPD Rev 0カバレージからHRPD Rev Aカバレージに移動していてもよい。端末はまた、HRPD Rev Aカバレージ端に移動していても、ＨＲＰＤのみモードから１Ｘ−ＨＲＰＤモードに移行していても、また、良好なHRPD Rev Aカバレージ内に戻っていてもよい。いかなる場合にも、端末は、セッション・構成を開始し、そして、それらのフローが既に構成されていない場合には、ＲＴＰ及びＳＩＰフローに対するＱｏＳパラメータを構成してもよい。ＱｏＳ構成が成功した場合には、端末は、ＩＭＳ登録を行ない、そして、ＩＭＳネットワークによって興味のあるすべての１Ｘサービスを受けることを選択してもよい。ＩＭＳ登録が成功した場合には、端末は、１Ｘパワー・ダウン登録を行ない、その後、ＨＲＰＤネットワークだけをモニターしてもよい。ＩＭＳ登録が成功していない場合には、端末は、１Ｘ−ＨＲＰＤモードに留まり、そして、ページのために１ＸおよびＨＲＰＤネットワークの両方をモニターし続けてもよい。
【００５４】
端末は、シグナリング及び無線資源利用の点で高価となりうるＩＭＳ登録の時期尚早の実施を回避するために、パイロット測定をフィルタしても及び／又はヒステリシスを使用してもよい。ＨＲＰＤパイロットEc／IoがＴ３秒に対するＥ３閾値を超える場合には、端末は良好なＨＲＰＤカバレージを検知することができる、ここで、Ｅ３及びＴ３は任意適切な値であってもよい。Ｅ３及び／又はＴ３はまた、端末がアイドルであるか、あるいは、係属中の呼を有するかどうかに応じて異なってもよい。
【００５５】
端末は、１Ｘ−ＨＲＰＤモードからＨＲＰＤのみモードまで移行する場合には、アイドル状態にあってもよい。端末は、その移行時に、ページを逃す可能性を減少させる態様で、登録及び登録抹消を行なってもよい。
【００５６】
端末は、それが良好なＨＲＰＤカバレージ内に移動する場合には、非ＨＰＴ接続状態（non-HPT connected state）において係属中の呼を有してもよい。端末は、係属中の呼の連続性を維持する態様で、ＨＲＰＤのみモードに移行してもよい。端末は、ＨＲＰＤのみモードへの移行と同時に１ＸからＨＲＰＤへのパケット・データ・ハンド・アップを行なってもよい。端末は、１Ｘ接続が閉じられるまで、１Ｘパワー・ダウン登録ならびにＨＲＰＤのみモードでの動作を遅延させてもよい。
【００５７】
シナリオ８では、端末は、ＨＲＰＤのみモードであり、そして、１Ｘネットワーク上で呼を起こすためのトリガーを受け取る。このトリガーは、ＨＲＰＤネットワーク上でのＶｏＩＰ呼失敗のためのリトライ機構、緊急呼、ＬＣＳ又は測位関連呼、等から生じてもよい。端末は、１Ｘ−ＨＲＰＤモードに移行し、システム選択ルールに基づいて１Ｘネットワークを得、そして、１Ｘネットワーク上の移動体から発した呼を開始してもよい。この発呼は、ＡＮＳＩ−４１ネットワークに対する暗黙の登録を生じる可能性がある。その後、端末は、その呼のために１Ｘ及びＡＮＳＩ−４１ネットワークと通信してもよい。
【００５８】
１Ｘ呼を終えた後に、端末は、１Ｘ−ＨＲＰＤモードに留まってもよくあるいはＨＲＰＤのみモードに移行してもよい。下記のうちのいずれかの１つが生じる場合、端末は１Ｘパワー・ダウン登録及びＨＲＰＤのみモードへの移行を行なってもよい：
・  同じＨＲＰＤネットワークが再び得られる、
・  異なるＨＲＰＤネットワークは得られ、そして、前のデータ・セッションは成功裡に回復される、
・  異なるＨＲＰＤネットワークは得られ、前のデータ・セッションは回復することができなかったが、このＨＲＰＤネットワーク内のＲＴＰ及びＳＩＰフローのためのＱｏＳ構成は成功である。
【００５９】
端末は、それが異なるＨＲＰＤネットワークを得、そして、ＱｏＳ構成が不成功であるためにＨＲＰＤのみモードに移行できない、ＨＲＰＤネットワークがRev 0であり又は興味のあるすべての１Ｘサービスをサポートしない、等の場合には、二重のＭＳ及びＡＮＳＩ−４１登録を有する１Ｘ−ＨＲＰＤモードに留まってもよい。端末は、端末構成、ＩＭＳネットワークのサービス・ベース登録機能、等に応じて、ＩＭＳサービス登録抹消又はＩＭＳ登録を行なってもよい。端末は、後でＱｏＳ構成及びＩＭＳ登録を再び試み、そして成功した場合、ＨＲＰＤのみモードに移行する。
【００６０】
端末は、それがＨＲＰＤネットワークを取得しない場合には、１Ｘ−ＨＲＰＤモードに留まってもよい。端末は、それがＨＲＰＤ及びＩＭＳネットワークによって到達可能ではないことを示すＳＭＳメッセージを送ってもよい。ＩＭＳネットワークは、端末のためのＩＭＳ登録抹消を行なってもよいし又は音声及びＳＭＳページをＡＮＳＩ−４１ネットワークに送るが端末に対するＩＭＳ登録を保持してもよい。端末は、ＩＭＳネットワークによるこのＳＭＳメッセージの既知の解釈に基づいて、それのＩＭＳ登録ステータスを更新してもよい。
【００６１】
端末が１Ｘネットワークを取得できない、１Ｘ呼再トライのために１Ｘネットワークにアクセスできない、発呼試みに失敗する場合には、端末は、ＨＲＰＤのみモードに戻ってもよい。
【００６２】
シナリオ９では、端末は、ＨＲＰＤのみモードであり、ＨＲＰＤネットワークをに対してアクテイブな通話を有し、ＨＲＰＤネットワークから１Ｘネットワークへのハンドオフを行ない、そして１Ｘ−ＨＲＰＤモードに移行する。端末は、１Ｘネットワークとの新規の接続を確立し、ＨＲＰＤネットワークとの接続をドロップ（drop）し、そして、呼をハンドダウン（hand down）するか又は１Ｘネットワーク上の新規の呼を始めてもよい。
【００６３】
端末は、１Ｘ呼を終えた後にシステム選択を行なってもよい。端末は、（ａ）同じＨＲＰＤネットワークを再び取得する、（ｂ）異なるＨＲＰＤネットワークを取得し、そして、成功裡に前のセッションを回復する、又は、（ｃ）異なるＨＲＰＤネットワークを得るが、成功裡に前のセッションを回復することができないであってもよい。端末は、それがＨＲＰＤカバレージ端に近い場合には、１Ｘ−ＨＲＰＤモードに留まってもよく、そして、１ＸサービスのＩＭＳ登録抹消を行なってもよい。端末は、それが良好なＨＲＰＤカバレージ内ある場合には、ＨＲＰＤのみモードに移行してもよく、そして、１Ｘパワー・ダウン登録を行なってもよい。端末はまた、シナリオ８における１Ｘ呼を終えた後に対して上述されたアクションを行なってもよい。
【００６４】
端末は、適切な場合には、１Ｘ及び／又はＨＲＰＤネットワークに対するパイロット測定を行なってもよい。例えば、下記のことが生じる場合には、端末は、ＨＲＰＤネットワークに対するパイロット測定を行ない始めてもよい：
・  １Ｘ隣接リストがＨＲＰＤ基地局及びどちらかから受け取られる、
・  ＨＲＰＤパイロットＥｃ／IoがＴ１１秒のＥ１１閾値より小さい、あるいは
・  ＨＲＰＤ受信パイロット・パワーがＴ１１秒のＰ１１閾値より小さい。
【００６５】
下記のことが生じる場合には、端末は、ＨＲＰＤパイロット測定を行なうことを停止してもよい。
【００６６】
・  １Ｘ隣接リストがＨＲＰＤ基地局から受け取られない、
・  ＨＲＰＤパイロットＥｃ／Ioが、Ｔ１２秒のＥ１２閾値より大きい、そして
・  ＨＲＰＤ受信パイロット・パワーが、Ｔ１２秒のＰ１２閾値より大きい。
【００６７】
下記のことが生じる場合には、端末は、１Ｘ隣接リストの基地局に対するパイロット測定を行ないことを始めてもよい：
・  ＨＲＰＤパイロットＥｃ／Ioが、Ｔ１３秒のＥ１３閾値より小さい、あるいは
・  ＨＲＰＤ受信パイロット・パワーが、Ｔ１３秒のＰ１３閾値未満より小さい。
【００６８】
下記のことが生じる場合には、端末は、１Ｘ隣接リストの基地局に対するパイロット測定を行なうことを止めてもよい。
【００６９】
・  端末がＨＲＰＤネットワークに対するパイロット測定を行なうことを止める、
・  １ＸパイロットＥｃ／Ioが、Ｔ１４秒のＥ１４閾値未満より小さい、あるいは
・  １Ｘ受信パイロット・パワーがＴ１４秒のＰ１４閾値より小さい。
【００７０】
端末はまた、他の基準あるいは基準の他のセットに基づいて各無線ネットワークに対するパイロット測定を行なうことを始めてもよいし止めてもよい。上記の閾値の各々は任意の適切な値にセットされてもよい。上記のタイマーの各々は０あるいは適切な値にセットされてもよい。閾値及び／又はタイマーはまた、所望の性能を提供するために及び／又はヒステリシスを達成するために選択されてもよい。
【００７１】
端末は、ＩＭＳ及び／又はＡＮＳＩ−４１ネットワークに登録すべきかどうかを決定するため、１つの無線ネットワークから他の無線ネットワークにハンドオフするため、動作モード間で移行するため、等のような種々の目的のために１Ｘ及び／又はＨＲＰＤパイロット測定を使用してもよい。表１のシナリオのうちのいくつかのためのパイロット測定の使用が下記に記述される。
【００７２】
シナリオ６では、（ａ）ＨＲＰＤパイロットＥｃ／IoがＴ２１秒のＥ２１閾値より小さい又はＨＲＰＤ受信パイロット・パワーがＴ２１秒のＰ２１閾値より小さい、及び（ｂ）１ＸパイロットＥｃ／IoがＴ２２秒のＥ２２閾値より大きい又は１Ｘ受信パイロット・パワーがＴ２２秒のＰ２２閾値より大きい場合には、端末は、ＨＲＰＤのみモードから１Ｘ−ＨＲＰＤモードに移行してもよい。（ａ）ＨＲＰＤパイロットＥｃ／IoがＥ２３閾値より小さい又はＨＲＰＤ受信パイロット・パワーがＰ２３閾値より小さい、及び１ＸパイロットＥｃ／IoがＥ２４閾値より大きい又は１Ｘ受信パイロット・パワーがＰ２４閾値より大きい場合には、端末はまた、１Ｘ−ＨＲＰＤモードに移行してもよい。基準の上記セットのうちのどれかが満たされた場合には、端末は、ＨＲＰＤカバレージ端にあると考えられてもよい。その後、端末は、ＡＮＳＩ−４１ネットワークに対して登録し、そして、１ＸサービスをＩＭＳネットワークからＡＮＳＩ−４１ネットワークに移すために、ＩＭＳネットワークに登録抹消を行なってもよい。
【００７３】
シナリオ７では、（ａ）ＨＲＰＤパイロットＥｃ／IoがＴ３１秒のＥ３１閾値より大きい及び／又は（ｂ）ＨＲＰＤ受信パイロット・パワーがＴ３１秒のＰ３１閾値より大きい場合には、端末は、１Ｘ−ＨＲＰＤモードからＨＲＰＤのみモードに移行してもよい。端末は、興味のある１ＸサービスのためのＩＭＳ登録を行なってもよく、そして、１Ｘパワー・ダウン登録を行なってもよい。
【００７４】
シナリオ９では、（ａ）ＨＲＰＤパイロットＥｃ／IoがＴ４１秒のＥ４１閾値より小さい、及び（ｂ）１ＸパイロットＥｃ／IoがＴ４２秒のＥ４２閾値より大きい又は１Ｘ受信パイロット・パワーがＴ４２秒のＰ４２閾値より大きい場合には、端末は、ＨＲＰＤネットワークとの係属中の呼を有してもよく、また、ＨＲＰＤネットワークから１Ｘネットワークへのハンド・ダウンを行なってもよい。端末は、そのハンド・ダウンの後に、１Ｘネットワーク上の呼を続けてもよい。
【００７５】
図５は、端末を操作するためのプロセス５００のデザインを示す。端末にとって興味のある第2のデータ・ネットワークからのすべてのサービスが第１の無線ネットワークによって取得可能である場合には、端末は、第１のモードで動作し、そして、第1のデータ・ネットワークからのページのために第1の無線ネットワークをモニターする（ブロック５１２）。端末にとって興味のある第2のデータ・ネットワークからの少なくとも１つのサービスが第1の無線ネットワークによって取得可能でない場合には、端末は、第2のモードで動作し、そして、それぞれ第1及び第2のデータ・ネットワークからのページのたいめに第1の無線ネットワーク及び第2の無線ネットワークをモニターする（ブロック５１４）。端末は、端末によって受け取られた無線ネットワーク及びデータ・ネットワークの機能、端末にとって興味のあるサービス、興味のあるサービスの要件、及び／又は他の要因に基づいて、第1及び第2のモードを含む複数のモードの１つを動的に選択してもよい（ブロック５１６）。
【００７６】
第１の無線ネットワークは、ＨＲＰＤネットワークであってもよく、そして、第２の無線ネットワークは、ＣＤＭＡ２０００ １Ｘネットワーク（又は１Ｘネットワーク）であってもよい。第１のデータ・ネットワークは、ＩＭＳネットワークであってもよく、そして、第２のデータ・ネットワークは、ＡＮＳＩ−４１ネットワークであってもよい。第１のモードは、ＨＲＰＤのみモードであってもよく、そして、第２のモードは、１Ｘ−ＨＲＰＤモードであってもよい。第1及び第2の無線ネットワーク及び第1及び第2のデータ・ネットワークはまた、他の無線及びデータ・ネットワークであってもよい。
【００７７】
端末にとって興味のあるサービスは、音声サービス、ＳＭＳ、等を含んでもよい。端末は、最初の無線ネットワーク上のＶｏＩＰ呼を、そして、第２の無線ネットワーク上の回線交換呼によって音声サービスを受け取ってもよい。端末は、第１のデータ網からのサービスのために第１の無線ネットワークと、そして、第２のデータ・ネットワークからのサービスのために第２の無線ネットワークと通信してもよい。
【００７８】
端末は、第1のモードで動作する場合には第1のデータ・ネットワークに対してだけ登録してもゆおく、そして、第2のモードで動作する場合には、第1及び第2の両方のデータ・ネットワークに対して登録してもよい。端末は、端末にとって興味のある第2のデータ・ネットワークからのすべてのサービスを第1のデータ・ネットワークによって取得するために第1のデータ・ネットワークに対して登録してもよい。興味のあるすべてのサービスが第1のデータ・ネットワークによってサポートされ、そして、第1の無線ネットワークによって所要のＱｏＳを供給されることができる場合には、端末は、第1の無線ネットワークが興味のあるサービスに対する所要のＱｏＳを供給できるかどうかを決定し、興味のあるすべてのサービスが第1のデータ・ネットワークによってサポートされているかどうかを決定し、そして第1のモードで動作してもよい。
【００７９】
測位のための測定を行なうためにチューニング・アウエイ（tuning away）すること、第1のデータ・ネットワークに対する登録の喪失、第1の無線ネットワークのカバレージの喪失、第1の無線ネットワークのカバレージ端への移動、第1の無線ネットワークの良好なカバレージ内への移動、第2の無線ネットワークに対する発呼、第1の無線ネットワークから第2の無線ネットワークへのハンドオフ、等のような種々のシナリオに対して上述したように、端末は動作してもよい。
【００８０】
図６は、端末１３０、基地局１１２及びネットワーク・エンテイテイ１８０の１つのデザインのブロック図を示す。逆方向リンク上では、端末１３０によって送られるデータ及びシグナリングは、符号器６２２によって処理され（例えば、フォーマット化、符号化、インターリーブされる）、そして、アウトプット・チップを生成するために変調器（Mod）６２４によってさらに処理される（例えば、変調され、チャネル化され、そして、スクランブルされる）。送信機（ＴＭＴＲ）６３２は、その後、出力チップを調整（例えば、アナログに変換する、フィルタする、増幅する、及び、周波数アップコンバートする）し、そして、アンテナ６３４によって送信される逆方向リンク信号を生成する。順方向リンク上で、アンテナ６３４は、基地局１１２及び／又は他の基地局によって送信された順方向リンク信号を受信する。受信機（ＲＣＶＲ）６３６は、アンテナ６３４からの受信信号を調整し（例えば、フィルタする、増幅する、周波数ダウンコンバートする、そしてデジタル化する）、そして、サンプルを提供する。復調器（Ｄｅｍｏｄ）６２６は、そのサンプルを処理し（例えば、逆スクランブルする、チャネライズする、及び、復調する）、そして、シンボル推定値を提供する。復号器６２８は、そのシンボル推定値をさらに処理し（例えば、デインタリーブする、及び、復号する）シンボル推定値、また解読されたデータを提供する。符号器６２２、変調器６２４、復調器６２６及び復号器６２８は、モデム・プロセッサ６２０によってインプリメント（implemented）されてもよい。これらのユニットは、端末１３０が通信している１つ又は複数の無線ネットワークによって使用される１つ又は複数の無線技術（例えば、１Ｘ及び／又はＨＲＰＤ）に従って処理を行なう。
【００８１】
コントローラ／プロセッサ６４０は、端末１３０における種々のユニットの動作を指示する。コントローラ／プロセッサ６４０は、端末１３０の動作を管理するために、図５のプロセス５００及び／又は他のプロセスを行なってもよい。メモリ６４２は、プログラム・コード及び端末１３０に対するデータ、例えば、動作モード情報、モード間の移行のために使用される測定値、等を格納する。
【００８２】
図６はまた、ＨＲＰＤネットワークにおける基地局１１２及びＩＭＳネットワークにおけるネットワーク・エンテイテイ１８０のデザインを示す。基地局１１２は、端末との通信のための種々の機能を行なうコントローラ／プロセッサ６５０、基地局１１２に対するプログラム・コード及びデータを格納するメモリ６５２、及び端末との無線通信をサポートするトランシーバ６５４を含んでいる。一般に、１ＸかＨＲＰＤネットワークにおける基地局は、１つ又は複数のコントローラ／プロセッサ、メモリ、トランシーバ、等を含んでもよい。
【００８３】
ネットワーク・エンテイテイ１８０は、任意のエンテイテイあるいはＩＭＳネットワーク又はＡＮＳＩ−４１ネットワークにおけるエンテイテイの任意の集合であってもよい。ネットワーク・エンテイテイ１８０は、登録、端末のページング、通信サービス、等をサポートしてもよい。ネットワーク・エンテイテイ１８０は、ネットワーク・エンテイテイ１８０によってサポートされる種々の機能を行なうコントローラ／プロセッサ６６０、及びネットワーク・エンテイテイ１８０に対するプログラム・コード及びデータを格納するメモリ６６２を含んでいる。
【００８４】
ここに記述された技術は、種々の手段によってインプリメントされてもよい。例えば、これらの技術は、ハードウェア、ファームウェア、ソフトウェアあるいはそれらの組合せでインプリメントされてもよい。ハードウェア・インプリメンテーションでは、端末における動的動作モード管理を行なうために使用される処理ユニットは、１つ又は複数の特定用途向け集積回路（ＡＳＩＣｓ）、デジタル・シグナル・プロセッサー（ＤＳＰｓ）、デジタル信号処理装置（ＤＳＰＤｓ）、プログラム可能論理デバイス（ＰＬＤｓ）、フィールドプログラム可能なゲート・アレイ（ＦＰＧＡｓ）、プロセッサ、コントローラ、マイクロ・コントローラ、マイクロプロセッサ、電子デバイス、ここに記述された機能を行なうように設計された他の電子ユニット、コンピュータ、又はそれらの組合せ内でインプリメントされてもよい。
【００８５】
ソフトウェア・インプリメンテーションでは、ここに記述された技術は、ここに記述された機能を行なうモジュール（例えば、手順、関数、等）でインプリメントされてもよい。ファームウェア及び／又はソフトウェア・コードは、メモリ（例えば、図６のメモリ６４２）に格納され、そして、プロセッサ（例えば、プロセッサ６４０）によって実行されてもよい。そのメモリは、プロセッサ内で又はプロセッサの外部でインプリメントされてもよい。
【００８６】
本開示の前記の説明は、当業者が本開示を実施すること又は使用することを可能にするために提供される。本開示に対する種々の修正は、当業者には容易に明白となるであろう、そして、ここに定義された包括的な原理は、本開示の精神又は範囲から逸脱することなしに、他の変更に適用されうる。従って、本開示は、ここに記述された例に制限されることは意図されておらず、ここに開示された原理及び新規な特徴と一致する最も広い範囲を与えられるべきである。
【図１】
2010510759.tif 000004
【図２】
2010510759.tif 000005
【図３】
2010510759.tif 000006
【図４】
2010510759.tif 000007
【図５】
2010510759.tif 000008
【図６】
2010510759.tif 000009
【国際調査報告】
2010510759.tif 000010
2010510759.tif 000011
2010510759.tif 000012